(57)【要約】【課題】停電等によってキャビネットが下降できないような非常時においても、容易に扉を開き、食器等を取り出すことができるようにする。【解決手段】建物上部の壁に取付けられた外箱１に電動式昇降機構によって上下動するキャビネット２を設け、外箱にキャビネットの上下動に伴って開閉する扉３を設ける。扉３は上方部をヒンジ６により外箱に枢支されるとともに移動規制部材３３，３４によってキャビネットの最大上昇時に略全閉とする設定とされる。移動規制部材３３，３４は、電動式昇降機構の電源断の状態でも扉３を手動により僅少幅で開くことが可能であり、かつ扉を開いた状態における開口部の隙間から取外し可能とする。【選択図】  図１
2005021297.tif 000002
【特許請求の範囲】
【請求項１】
建物上部の壁に取付けられた外箱に電動式昇降機構によって上下動するキャビネットを設けるとともに、前記外箱に前記キャビネットの上下動に伴って開閉する扉を設け、この扉は上方部をヒンジにより前記外箱に枢支されるとともに移動規制部材によって前記キャビネットの最大上昇時に略全閉とする設定とされている電動昇降吊戸棚において、前記移動規制部材は、前記電動式昇降機構の電源断の状態でも前記扉を手動により僅少幅で開くことが可能であり、かつ前記扉を開いた状態における開口部の隙間から取外し可能としたことを特徴とする電動昇降吊戸棚。
【請求項２】
前記扉の移動規制部材はリンク機構であり、その関節部に抜き差し可能な支点ピンを有するものである請求項１記載の電動昇降吊戸棚。
【請求項３】
前記関節部の支点ピンは、前記扉の僅少幅で開いた開口部の下方から前記支点ピンの軸方向移動阻止用の係止部材を外すことにより解除することが可能である請求項１記載の電動昇降吊戸棚。
【請求項４】
前記扉は、コイルばねにより閉方向に付勢されており、このコイルばねは、前記扉を前記キャビネットの前方に少なくとも４５°開けた状態においても、復元力を保持する構成とされている請求項１記載の電動昇降吊戸棚。
【請求項５】
前記キャビネットはその内部に複数の食器籠が上下方向に配置された多段籠構成とされており、前記扉は、水平角度まで開けた状態においても復元力を保持する構成とされている請求項４記載の電動昇降吊戸棚。
【発明の詳細な説明】
【０００１】
【発明の属する技術分野】
本発明は、キャビネットの上昇に伴ってその前面を閉鎖する扉を有する電動昇降吊戸棚に係り、特に停電等によってキャビネットが下降できないような非常時においても容易に扉を開き、食器等が取り出せるようにした電動昇降吊戸棚に関するものである。
【０００２】
【従来の技術】
システムキッチン等に適用される電動昇降吊戸棚においては、建物上部の壁に取付けられた固定配置の外箱に電動式昇降機構によって上下動するキャビネットを設けるとともに、外箱にキャビネットの上下動に伴って開閉する扉を設けることが一般的である（例えば特許文献１参照）。
【０００３】
このような電動昇降戸棚においては通常、扉の上方部がヒンジにより外箱に枢支されるとともに、扉の下方部がリンク機構等の移動規制部材によってキャビネットの最大上昇時に略全閉とする構成とされている。
【０００４】
【特許文献１】
特開２００３−９９６２号公報
【０００５】
【発明が解決しようとする課題】
上述した従来技術においては、停電等によってキャビネットが下降できないような非常時においては、容易に扉を開くことができず、食器等を取り出すことができないという不便がある。
【０００６】
本発明はこのような事情に鑑みてなされたもので、停電等によってキャビネットが下降できないような非常時においても容易に扉を開き、食器等が取り出せるようにした電動昇降吊戸棚を提供することを目的とする。
【０００７】
【課題を解決するための手段】
上記の目的を達成するため、請求項１に係る発明では、建物上部の壁に取付けられた外箱に電動式昇降機構によって上下動するキャビネットを設けるとともに、前記外箱に前記キャビネットの上下動に伴って開閉する扉を設け、この扉は上方部をヒンジにより前記外箱に枢支されるとともに移動規制部材によって前記キャビネットの最大上昇時に略全閉とする設定とされている電動昇降吊戸棚において、前記移動規制部材は、前記電動式昇降機構の電源断の状態でも前記扉を手動により僅少幅で開くことが可能であり、かつ前記扉を開いた状態における開口部の隙間から取外し可能としたことを特徴とする電動昇降吊戸棚を提供する。
【０００８】
請求項２に係る発明では、前記扉の移動規制部材はリンク機構であり、その関節部に抜き差し可能な支点ピンを有するものである請求項１記載の電動昇降吊戸棚を提供する。
【０００９】
請求項３に係る発明では、前記関節部の支点ピンは、前記扉の僅少幅で開いた開口部の下方から前記支点ピンの軸方向移動阻止用の係止部材を外すことにより解除することが可能である請求項１記載の電動昇降吊戸棚を提供する。
【００１０】
請求項４に係る発明では、前記扉は、コイルばねにより閉方向に付勢されており、このコイルばねは、前記扉を前記キャビネットの前方に少なくとも４５°開けた状態においても、復元力を保持する構成とされている請求項１記載の電動昇降吊戸棚を提供する。
【００１１】
請求項５に係る発明では、前記キャビネットはその内部に複数の食器籠が上下方向に配置された多段籠構成とされており、前記扉は、水平角度まで開けた状態においても復元力を保持する構成とされている請求項４記載の電動昇降吊戸棚を提供する。
【００１２】
【発明の実施の形態】
以下、本発明に係る電動昇降吊戸棚の一実施形態について図面を参照して説明する。なお、本実施形態はシステムキッチンにおける天井設置式の昇降式食器乾燥機として適用したものである。ただし、乾燥庫、水切り棚等としても適用することができる。
【００１３】
図１は、昇降式食器乾燥機の全体構成を示す斜視図である。図２はキャビネットが下降した状態を示す側断面図であり、図３はキャビネットが上昇した状態を示す側断面図である。
【００１４】
図１〜図３に示すように、本実施形態の昇降式食器乾燥機は、基本的に、天井またはその付近に設置される外箱１と、この外箱１に昇降可能に設けられたキャビネットとしての内箱２とを有し、外箱１の前面には扉３が設けられている。
【００１５】
外箱１は、天板１ａ、前垂板１ｂ、両側板１ｃ、背板１ｄ等により構成され、下端全面および前面の前垂板１ｂ以外の部分が開口している。この外箱１の両側板１ｃの内面に、内箱２を昇降ガイドするための縦長なガイドレール４がそれぞれ設けられ、天板１ａの内面（下面）には部品支持用のフレーム５が設けられている。この外箱１の前垂板１ｂに、扉３がその上端縁部の例えば３個所に設けたヒンジ６を介して連結され、これにより扉３は上端縁部を支点として下端側を前後方向に回動し得る構成となっている。
【００１６】
内箱２は食器乾燥機本体を構成するもので、上板２ａ、下板２ｂ、両側板２ｃおよび背板２ｄにより前面が開口する形状とされ、内部に上下２段の食器籠７ａ，７ｂを着脱可能に載置し得る構成とされている。これにより、内箱２は複数の食器籠７ａ，７ｂを上下方向に配置した多段籠構成とされている。この内箱２の両側板２ｃの外面間の寸法は、外箱１の両側板１ｃの内面間の寸法よりも僅かに小さく設定され、これら各側板１ｃ，２ｃ間にそれぞれ縦長な幅狭い側方空間８が形成されている。なお、内箱２の高さは外箱１より十分小さく、内箱２上方に機器スペースが形成されるようになっている。
【００１７】
内箱２は外箱１に昇降機構９により昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有する。
【００１８】
この昇降機構９のベルト１３は例えば２本構成であり、その各ベルト１３により内箱２の左右２箇所が吊上げられる方式となっている。各ベルト１３は、一つの巻取りドラム１２に同時に巻上げられ、それにより内箱２が常時一定姿勢で昇降することができる。内箱２の両側板２ｃの外面部にはそれぞれスライダ４ａが設けられ、このスライダ４ａが外箱１のガイドレール４に案内されることにより、確実に内箱２の昇降時の姿勢が安定する。
【００１９】
内箱２の天板２ａ上には送風機１８、ヒータ１９およびダクト２０が設けられ、送風口２１を介して内箱２に温風が供給されるようになっている。なお、内箱２の内底部には傾斜したドレン受け用の集水部２２が設けられ、この集水部で集められるドレンは排水口２３を介して、底板２ｂの前方側に着脱可能に設けた水受皿２４に貯留されるようになっている。
【００２０】
操作部のスイッチを介しての下降指令の出力により巻取りドラム１２が回転して内箱２が下降し、また上昇指令の出力により、内箱２が上昇する。
【００２１】
本実施形態では、内箱２と扉３とが、外箱１と内箱２との各側板１ｃ，２ｃ間に形成される側方空間８に配設した移動規制手段としてのリンク機構３３によって連結され、各リンク機構３３は、移動規制部材としての各２本ずつのアーム（第１アーム３４，第２アーム３５）によりそれぞれ構成されている。なお、扉３の上端側には、端部下方に向って全長の約１／４の距離の位置に引張りコイルばね（以下、単に「コイルばね」という）３６の一端が連結され、このコイルばね３６の他端は、外箱１の側板１ｃの内面に固定的に連結されている。このコイルばね３６の両端連結位置の高さは略同一であり、これによりコイルばね３６は略水平な向きに配置されている。これにより、コイルばね３６は常時、扉３を閉塞する方向に付勢している。
【００２２】
ただし、上述したように、コイルばね３６は扉３の回動支点となる上端側に接近した配置となっていることから、扉３の開回動に対して閉方向に向う強力な引張り力を付与するものではない。このコイルばね３６は、扉３が全閉状態となる垂直位置から、扉３が前方に４５度程度開回動した場合でも復元力を失わない。さらに、このコイルばね３６は、水平角度まで開けた状態においても復元力を保持する構成とされている。
【００２３】
このような構成において、図２に示すように、内箱２が最大限下降した場合にはリンク機構３３によって扉が最大開き角度となり、内箱２内に収納した食器を前面側から容易に取り出すことができる。
【００２４】
一方、図３に実線で示すように、内箱２を最大限引上げた場合にはリンク機構３３の両アーム３４，３５が僅少な交差各角度をもつだけとなり、略直線に近い状態で配列される。この状態では、扉３の下端を前方に向って開回動させる力を加えた場合、約５ｃｍないし１０ｃｍ程度開いた状態で、図３に仮想線で示したように各アーム３４，３５同士が直線的となり、これらのアーム３４，３５を引張る方向となる扉３の開回動ができない状態となる。
【００２５】
したがって、もし図３に示した内箱２の最大上昇時において、停電等によりモータ駆動が不能となった場合には、扉は約５ｃｍないし１０ｃｍ程度しか開けることができないため、成人の手を挿入することは可能でも、食器を把持して取り出すことはできない。このような構成としたのは、地震振動等によっても扉３の閉状態を保持し、内箱２に収納した食器の飛散を防止するためである。
【００２６】
しかしながら、停電等の情況下においても、食器を必要とする場合、あるいは強く使用したい場合等がある。そこで、本実施形態の食器乾燥器においては、上記非常時における要求に対応するべく、扉３を人力によって開回動することができ、それにより、食器を取り出すことができる構成となっている。
【００２７】
この構成を、図４および図５によって説明する。図４は、扉３を人力によって開回動するための構成を示し、図５は扉３を開回動できる状態を示している。
【００２８】
図４および図５には、リンク機構３３の下端部の構成がそれぞれ拡大して、ク縦状態と分解状態として示してある。
【００２９】
これらの図に示すように、リンク機構３３の第２アーム３５と扉３側とは、扉３のフレームに設けたブラケット３７を介して支点ピン３８により回動可能に連結されている。なお、これらの間にはワッシャ３７ｂが配置されている。
【００３０】
そして、支点ピン３８は、ブラケット３７に対して抜き差し可能であり、通常は支点ピン３８の軸方向移動阻止用の着脱可能な係止部材、例えば一端開口の弓形をなすスナップピン３９によって抜き外し不能とされている。すなわち、スナップピン３９は、支点ピン３８のブラケットを貫通する先端に設けたリング状の溝４０に湾曲部を嵌合させることにより弾性的に係止され、スナップピン３９の一端開口を介して引抜く外力を与えない限り、支点ピン３８の軸方向には外れず、かつ支点ピン３８の径方向にも外れない。
【００３１】
しかし、スナップピン３９は手力による引抜きが可能とされている。そして、上述したように（図３参照）、本実施形態では扉３を前閉状態から５ｃｍ程度、人力によって開く余裕が与えられている。
【００３２】
したがって、内箱２が最大限上昇した状態で扉３が前閉状態となっていても、若干の隙間を空けてスナップピン３９を外し、支点ピン３８を抜き外すことができる。
【００３３】
これにより、図５に示すように、第２アーム３５と扉３のブラケット３７とを分離させれば、扉３を開回動させることができる。
【００３４】
この扉３の開回動の際、本実施形態では、扉３を閉方向に付勢するコイルばね３６が、扉３を内箱２の前方に向けて少なくとも４５°開けた状態においても、復元力を保持する構成とされており、また扉３は、水平角度まで開けた状態においても復元力を保持する構成とされているので、上段の食器籠７ａから食器を取り出したような場合においても、その後に再び図５から図４の状態に組立て直すことにより、以後の使用については何ら支障がない。
【００３５】
よって、本実施形態によれば、停電時等においても扉を大きく開くことができ食器等の収納物を容易に取出すことができる。また、スナップピン３９を適用することにより、少ない工具で簡単に扉を開くことができる。
【００３６】
【発明の効果】
以上で詳述したように、本発明によれば、停電等によってキャビネットが下降できないような非常時においても、容易に扉を開き、食器等を取り出すことができる。
【図面の簡単な説明】
【図１】本発明に係る昇降式食器乾燥機の一実施形態を示す全体斜視図。
【図２】本発明の一実施形態におけるキャビネットが下降した状態を示す側断面図。
【図３】本発明の一実施形態におけるキャビネットが上昇した状態を示す側断面図。
【図４】本発明の一実施形態における作用説明図。
【図５】本発明の一実施形態における分解図。
【符号の説明】
１  外箱
２  内箱
３  扉
４  ガイドレール
４ａ  スライダ
５  フレーム
６  ヒンジ
７ａ、７ｂ  食器籠
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
２６  パネル
２７  操作レバー
２８  支点ピン
２９  アクチュエータ
３３  リンク機構
３４  第１アーム
３５  第２アーム
３６  コイルばね
３７  ブラケット
３８  支点ピン
３９  スナップピン
４０  溝
【図１】
2005021297.tif 000003
【図２】
2005021297.tif 000004
【図３】
2005021297.tif 000005
【図４】
2005021297.tif 000006
【図５】
2005021297.tif 000007